(57)【要約】【課題】画像と、その画像に関連する複数のタグ情報とを表示手段に表示可能とした画像表示方法において、所望のタグ情報を容易に見つけられるようにする。【解決手段】タグ情報の項目名を複数並べてなる検索リストＬを表示手段に表示させ、検索リストＬの中のある項目が選択されたとき、その項目のタグ情報の値を表示手段に表示させる。そして、複数のタグ情報の中の所定のタグ情報と、それに関連する関連情報とを互いに対応付けて記憶手段に記憶させ、関連情報の複数を画像と共に表示手段に表示させ、表示された複数の関連情報の中の１つが選択されたとき、その関連情報と対応付けられている所定のタグ情報を、検索リストＬの中で最上位に設定する、【選択図】図４
2014067351.tif 000002
【特許請求の範囲】
【請求項１】
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示方法において、
前記タグ情報の項目名を複数並べてなる検索リストを表示手段に表示させ、
前記検索リストの中のある項目が選択されたとき、その項目のタグ情報の値を表示手段に表示させ、
前記複数のタグ情報の中の所定のタグ情報と、それに関連する関連情報とを互いに対応付けて記憶手段に記憶させ、
前記関連情報の複数を前記画像と共に表示手段に表示させ、
表示された複数の関連情報の中の１つが選択されたとき、その関連情報と対応付けられている前記所定のタグ情報を、前記検索リストの中で最上位に設定する、
ことを特徴とする画像表示方法。
【請求項２】
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示方法において、
前記タグ情報の項目名を複数並べてなる検索リストを表示手段に表示させ、
前記検索リストの中のある項目が選択されたとき、その項目のタグ情報の値を表示手段に表示させ、
前記複数のタグ情報の中の所定のタグ情報と、それに関連する関連情報とを互いに対応付けて記憶手段に記憶させ、
前記関連情報を前記画像と共に表示手段に表示させ、
表示された関連情報が選択されたとき、その関連情報と対応付けられている前記所定のタグ情報のみを、前記検索リストの中に表示させる、
ことを特徴とする画像表示方法。
【請求項３】
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示方法において、
前記タグ情報の項目名を複数並べてなる検索リストを表示手段に表示させ、
前記検索リストの中のある項目が選択されたとき、その項目のタグ情報の値を表示手段に表示させ、
前記複数のタグ情報の中の所定のタグ情報と、それに関連する関連情報とを互いに対応付けて記憶手段に記憶させ、
前記関連情報を前記画像と共に表示手段に表示させ、
表示された関連情報が選択されたとき、その関連情報と対応付けられている前記所定のタグ情報を、前記検索リストの中で、該選択の前までの順位より少なくとも1つ順位を上げる、
ことを特徴とする画像表示方法。
【請求項４】
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示方法において、
前記タグ情報の項目名を複数並べてなる検索リストを表示手段に表示させ、
前記検索リストの中のある項目が選択されたとき、その項目のタグ情報の値を表示手段に表示させ、
前記複数のタグ情報の中の所定のタグ情報と、それに関連する関連情報とを互いに対応付けて記憶手段に記憶させ、
前記関連情報およびタグ情報を前記画像と共に表示手段に表示させ、
表示された関連情報が選択されたとき、その関連情報と対応付けられている前記所定のタグ情報を、前記検索リストの中で、表示手段に表示されているタグ情報よりも上位に設定する、
ことを特徴とする画像表示方法。
【請求項５】
前記検索リストの中において、前回検索されたタグ情報をより上位に設定することを特徴とする請求項１から４いずれか１項記載の画像表示方法。
【請求項６】
前記検索リストの中において、所定数を上回る多数回検索されたタグ情報をより上位に設定することを特徴とする請求項１から５いずれか１項記載の画像表示方法。
【請求項７】
前記検索リストの中において、表示手段に表示されているタグ情報をより上位に設定することを特徴とする請求項１から６いずれか１項記載の画像表示方法。
【請求項８】
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示装置において、
前記タグ情報の項目名を複数並べてなる検索リストを表示手段に表示させ、
前記検索リストの中のある項目が選択されたとき、その項目のタグ情報の値を表示手段に表示させ、
前記複数のタグ情報の中の所定のタグ情報と、それに関連する関連情報とを互いに対応付けて記憶手段に記憶させ、
前記関連情報の複数を前記画像と共に表示手段に表示させ、
表示された複数の関連情報の中の１つが選択されたとき、その関連情報と対応付けられている前記所定のタグ情報を、前記検索リストの中で最上位に設定する、
手順を有する画像表示方法をコンピュータに実行させるプログラム。
【請求項９】
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示装置において、
前記タグ情報の項目名を複数並べてなる検索リストを表示手段に表示させ、
前記検索リストの中のある項目が選択されたとき、その項目のタグ情報の値を表示手段に表示させ、
前記複数のタグ情報の中の所定のタグ情報と、それに関連する関連情報とを互いに対応付けて記憶手段に記憶させ、
前記関連情報を前記画像と共に表示手段に表示させ、
表示された関連情報が選択されたとき、その関連情報と対応付けられている前記所定のタグ情報のみを、前記検索リストの中に表示させる、
手順を有する画像表示方法をコンピュータに実行させるプログラム。
【請求項１０】
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示装置において、
前記タグ情報の項目名を複数並べてなる検索リストを表示手段に表示させ、
前記検索リストの中のある項目が選択されたとき、その項目のタグ情報の値を表示手段に表示させ、
前記複数のタグ情報の中の所定のタグ情報と、それに関連する関連情報とを互いに対応付けて記憶手段に記憶させ、
前記関連情報を前記画像と共に表示手段に表示させ、
表示された関連情報が選択されたとき、その関連情報と対応付けられている前記所定のタグ情報を、前記検索リストの中で、該選択の前までの順位より少なくとも1つ順位を上げる、
手順を有する画像表示方法をコンピュータに実行させるプログラム。
【請求項１１】
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示装置において、
前記タグ情報の項目名を複数並べてなる検索リストを表示手段に表示させ、
前記検索リストの中のある項目が選択されたとき、その項目のタグ情報の値を表示手段に表示させ、
前記複数のタグ情報の中の所定のタグ情報と、それに関連する関連情報とを互いに対応付けて記憶手段に記憶させ、
前記関連情報およびタグ情報を前記画像と共に表示手段に表示させ、
表示された関連情報が選択されたとき、その関連情報と対応付けられている前記所定のタグ情報を、前記検索リストの中で、表示手段に表示されているタグ情報よりも上位に設定する、
手順を有する画像表示方法をコンピュータに実行させるプログラム。
【請求項１２】
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示装置において、
前記タグ情報の項目名を複数並べてなる検索リストを作成する検索リスト作成手段と、
前記検索リストを表示手段に表示させ、前記検索リストの中のある項目が選択されたとき、その項目のタグ情報の値を表示手段に表示させ、前記複数のタグ情報の中の所定のタグ情報と、それに関連する関連情報とを互いに対応付けて記憶手段に記憶させ、前記関連情報の複数を前記画像と共に表示手段に表示させる表示制御手段と、
表示された複数の関連情報の中の１つが選択されたとき、その関連情報と対応付けられている前記所定のタグ情報を、前記検索リストの中で最上位に設定する検索リスト制御手段と、
を備えたことを特徴とする画像表示装置。
【請求項１３】
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示装置において、
前記タグ情報の項目名を複数並べてなる検索リストを作成する検索リスト作成手段と、
前記検索リストを表示手段に表示させ、前記検索リストの中のある項目が選択されたとき、その項目のタグ情報の値を表示手段に表示させ、前記複数のタグ情報の中の所定のタグ情報と、それに関連する関連情報とを互いに対応付けて記憶手段に記憶させ、前記関連情報を前記画像と共に表示手段に表示させる表示制御手段と、
表示された関連情報が選択されたとき、その関連情報と対応付けられている前記所定のタグ情報のみを、前記検索リストの中に表示させる検索リスト制御手段と、
を備えたことを特徴とする画像表示装置。
【請求項１４】
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示装置において、
前記タグ情報の項目名を複数並べてなる検索リストを作成する検索リスト作成手段と、
前記検索リストを表示手段に表示させ、前記検索リストの中のある項目が選択されたとき、その項目のタグ情報の値を表示手段に表示させ、前記複数のタグ情報の中の所定のタグ情報と、それに関連する関連情報とを互いに対応付けて記憶手段に記憶させ、前記関連情報を前記画像と共に表示手段に表示させる表示制御手段と、
表示された関連情報が選択されたとき、その関連情報と対応付けられている前記所定のタグ情報を、前記検索リストの中で、該選択の前までの順位より少なくとも1つ順位を上げる検索リスト制御手段と、
を備えたことを特徴とする画像表示装置。
【請求項１５】
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示装置において、
前記タグ情報の項目名を複数並べてなる検索リストを作成する検索リスト作成手段と、
前記検索リストを表示手段に表示させ、前記検索リストの中のある項目が選択されたとき、その項目のタグ情報の値を表示手段に表示させ、前記複数のタグ情報の中の所定のタグ情報と、それに関連する関連情報とを互いに対応付けて記憶手段に記憶させ、前記関連情報およびタグ情報を前記画像と共に表示手段に表示させる表示制御手段と、
表示された関連情報が選択されたとき、その関連情報と対応付けられている前記所定のタグ情報を、前記検索リストの中で、表示手段に表示されているタグ情報よりも上位に設定する検索リスト制御手段と、
を備えたことを特徴とする画像表示装置。
【発明の詳細な説明】
【技術分野】
【０００１】
本発明は画像表示方法に関し、特に詳細には、画像に関連する情報を画像と対応付けて記憶手段に記憶させておき、画像表示の際に、その表示画像と対応する情報を適宜表示できるようにした画像表示方法に関するものである。
【０００２】
また本発明は、上述のような画像表示方法を実施するための画像表示装置、並びにその方法をコンピュータに実行させるためのプログラムに関するものである。
【背景技術】
【０００３】
従来、例えば特許文献１に示されるように、断層画像等の医用画像をハードディスク等の大容量記憶手段に記憶させておき、その画像を診断等のために適宜記憶手段から読み出して表示手段に表示可能とした画像表示装置が知られている。またこの種の画像表示装置においては、特許文献１にも示されているように、画像に関連する情報（タグ情報）を画像と対応付けて記憶手段に記憶させておき、画像表示の際に、その表示画像と対応する情報を適宜表示させることも考えられている。
【先行技術文献】
【特許文献】
【０００４】
【特許文献１】特開2011-083590号公報
【発明の概要】
【発明が解決しようとする課題】
【０００５】
ところで上述のようなタグ情報は、特に画像が医用画像である場合等は、非常に多数に上ることがある。例えば医用画像に対するタグ情報としては、個々の画像を識別するための画像ＩＤ、被写体を識別するための患者ＩＤ、検査を識別するための検査ＩＤ、画像毎に割り振られるユニークなＩＤ（ＵＩＤ）、その画像が生成された検査日、検査時刻、その画像を取得するための検査で使用されたモダリティの種類、患者氏名、年齢、性別等の患者情報、検査部位（撮影部位）、撮影情報（撮影プロトコル、撮影シーケンス、撮像手法、撮影条件、造影剤の使用等）、１回の検査で複数の画像を取得したときのシリーズ番号あるいは採取番号等の情報が挙げられる。
【０００６】
画像表示装置の操作者が、表示画像と対応する所望のタグ情報を確認したい場合、従来は一般に、複数のタグ情報を集めて表示するリストや、あるいは表示画像と共に表示されている複数のタグ情報の中から所望のものを目視で見つけ出すようにしていた。しかし、１つの画像に対して上述のように多数のタグ情報が対応付けられていると、所望のタグ情報を目視で見つけ出すのには多くの時間がかかり、操作者の負担も非常に大きなものとなる。
【０００７】
本発明は上記の事情に鑑みてなされたものであり、画像と対応付けて記憶されているタグ情報を、操作者に多大な負担を強いることなく、簡単に見つけることができる画像表示方法を提供することを目的とする。
【０００８】
また本発明は、上述のような画像表示方法を実施するための装置、並びにその方法をコンピュータに実行させるためのプログラムを提供することを目的とする。
【課題を解決するための手段】
【０００９】
本発明による第１の画像表示方法は、
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示方法において、
前記タグ情報の項目名を複数並べてなる検索リストを表示手段に表示させ、
前記検索リストの中のある項目が選択されたとき、その項目のタグ情報の値を表示手段に表示させ、
前記複数のタグ情報の中の所定のタグ情報と、それに関連する関連情報とを互いに対応付けて記憶手段に記憶させ、
前記関連情報の複数を前記画像と共に表示手段に表示させ、
表示された複数の関連情報の中の１つが選択されたとき、その関連情報と対応付けられている前記所定のタグ情報を、前記検索リストの中で最上位に設定する、
ことを特徴とするものである。
【００１０】
また、本発明による第２の画像表示方法は、
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示方法において、
前記タグ情報の項目名を複数並べてなる検索リストを表示手段に表示させ、
前記検索リストの中のある項目が選択されたとき、その項目のタグ情報の値を表示手段に表示させ、
前記複数のタグ情報の中の所定のタグ情報と、それに関連する関連情報とを互いに対応付けて記憶手段に記憶させ、
前記関連情報を前記画像と共に表示手段に表示させ、
表示された関連情報が選択されたとき、その関連情報と対応付けられている前記所定のタグ情報のみを、前記検索リストの中に表示させる、
ことを特徴とするものである。
【００１１】
また、本発明による第３の画像表示方法は、
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示方法において、
前記タグ情報の項目名を複数並べてなる検索リストを表示手段に表示させ、
前記検索リストの中のある項目が選択されたとき、その項目のタグ情報の値を表示手段に表示させ、
前記複数のタグ情報の中の所定のタグ情報と、それに関連する関連情報とを互いに対応付けて記憶手段に記憶させ、
前記関連情報を前記画像と共に表示手段に表示させ、
表示された関連情報が選択されたとき、その関連情報と対応付けられている前記所定のタグ情報を、前記検索リストの中で、該選択の前までの順位より少なくとも1つ順位を上げる、
ことを特徴とするものである。
【００１２】
また、本発明による第４の画像表示方法は、
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示方法において、
前記タグ情報の項目名を複数並べてなる検索リストを表示手段に表示させ、
前記検索リストの中のある項目が選択されたとき、その項目のタグ情報の値を表示手段に表示させ、
前記複数のタグ情報の中の所定のタグ情報と、それに関連する関連情報とを互いに対応付けて記憶手段に記憶させ、
前記関連情報およびタグ情報を前記画像と共に表示手段に表示させ、
表示された関連情報が選択されたとき、その関連情報と対応付けられている前記所定のタグ情報を、前記検索リストの中で、表示手段に表示されているタグ情報よりも上位に設定する、
ことを特徴とするものである。
【００１３】
なお、以上述べた本発明による各画像表示方法においては、検索リストの中で、前回検索されたタグ情報をより上位に設定することが望ましい。
【００１４】
また、検索リストの中において、所定数を上回る多数回検索されたタグ情報をより上位に設定することも望ましい。
【００１５】
さらには、検索リストの中において、表示手段に表示されているタグ情報をより上位に設定するも望ましい。
【００１６】
ここで、「より上位に設定する」とは、当該検索リストが表示される前に設定されていた順位よりも、すくなくとも１つ順位を上に設定することを意味するものである。
【００１７】
他方、本発明による第１のプログラムは、
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示装置において、
前記タグ情報の項目名を複数並べてなる検索リストを表示手段に表示させ、
前記検索リストの中のある項目が選択されたとき、その項目のタグ情報の値を表示手段に表示させ、
前記複数のタグ情報の中の所定のタグ情報と、それに関連する関連情報とを互いに対応付けて記憶手段に記憶させ、
前記関連情報の複数を前記画像と共に表示手段に表示させ、
表示された複数の関連情報の中の１つが選択されたとき、その関連情報と対応付けられている前記所定のタグ情報を、前記検索リストの中で最上位に設定する、
手順を有する画像表示方法をコンピュータに実行させるものである。
【００１８】
また、本発明による第２のプログラムは、
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示装置において、
前記タグ情報の項目名を複数並べてなる検索リストを表示手段に表示させ、
前記検索リストの中のある項目が選択されたとき、その項目のタグ情報の値を表示手段に表示させ、
前記複数のタグ情報の中の所定のタグ情報と、それに関連する関連情報とを互いに対応付けて記憶手段に記憶させ、
前記関連情報を前記画像と共に表示手段に表示させ、
表示された関連情報が選択されたとき、その関連情報と対応付けられている前記所定のタグ情報のみを、前記検索リストの中に表示させる、
手順を有する画像表示方法をコンピュータに実行させるものである。
【００１９】
また、本発明による第３のプログラムは、
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示装置において、
前記タグ情報の項目名を複数並べてなる検索リストを表示手段に表示させ、
前記検索リストの中のある項目が選択されたとき、その項目のタグ情報の値を表示手段に表示させ、
前記複数のタグ情報の中の所定のタグ情報と、それに関連する関連情報とを互いに対応付けて記憶手段に記憶させ、
前記関連情報を前記画像と共に表示手段に表示させ、
表示された関連情報が選択されたとき、その関連情報と対応付けられている前記所定のタグ情報を、前記検索リストの中で、該選択の前までの順位より少なくとも1つ順位を上げる、
手順を有する画像表示方法をコンピュータに実行させるものである。
【００２０】
また、本発明による第４のプログラムは、
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示装置において、
前記タグ情報の項目名を複数並べてなる検索リストを表示手段に表示させ、
前記検索リストの中のある項目が選択されたとき、その項目のタグ情報の値を表示手段に表示させ、
前記複数のタグ情報の中の所定のタグ情報と、それに関連する関連情報とを互いに対応付けて記憶手段に記憶させ、
前記関連情報およびタグ情報を前記画像と共に表示手段に表示させ、
表示された関連情報が選択されたとき、その関連情報と対応付けられている前記所定のタグ情報を、前記検索リストの中で、表示手段に表示されているタグ情報よりも上位に設定する、
手順を有する画像表示方法をコンピュータに実行させるものである。
【００２１】
また、本発明による第１の画像表示装置は、
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示装置において、
前記タグ情報の項目名を複数並べてなる検索リストを作成する検索リスト作成手段と、
前記検索リストを表示手段に表示させ、前記検索リストの中のある項目が選択されたとき、その項目のタグ情報の値を表示手段に表示させ、前記複数のタグ情報の中の所定のタグ情報と、それに関連する関連情報とを互いに対応付けて記憶手段に記憶させ、前記関連情報の複数を前記画像と共に表示手段に表示させる表示制御手段と、
表示された複数の関連情報の中の１つが選択されたとき、その関連情報と対応付けられている前記所定のタグ情報を、前記検索リストの中で最上位に設定する検索リスト制御手段と、
を備えたことを特徴とするものである。
【００２２】
また、本発明による第２の画像表示装置は、
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示装置において、
前記タグ情報の項目名を複数並べてなる検索リストを作成する検索リスト作成手段と、
前記検索リストを表示手段に表示させ、前記検索リストの中のある項目が選択されたとき、その項目のタグ情報の値を表示手段に表示させ、前記複数のタグ情報の中の所定のタグ情報と、それに関連する関連情報とを互いに対応付けて記憶手段に記憶させ、前記関連情報を前記画像と共に表示手段に表示させる表示制御手段と、
表示された関連情報が選択されたとき、その関連情報と対応付けられている前記所定のタグ情報のみを、前記検索リストの中に表示させる検索リスト制御手段と、
を備えたことを特徴とするものである。
【００２３】
また、本発明による第３の画像表示装置は、
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示装置において、
前記タグ情報の項目名を複数並べてなる検索リストを作成する検索リスト作成手段と、
前記検索リストを表示手段に表示させ、前記検索リストの中のある項目が選択されたとき、その項目のタグ情報の値を表示手段に表示させ、前記複数のタグ情報の中の所定のタグ情報と、それに関連する関連情報とを互いに対応付けて記憶手段に記憶させ、前記関連情報を前記画像と共に表示手段に表示させる表示制御手段と、
表示された関連情報が選択されたとき、その関連情報と対応付けられている前記所定のタグ情報を、前記検索リストの中で、該選択の前までの順位より少なくとも1つ順位を上げる検索リスト制御手段と、
を備えたことを特徴とするものである。
【００２４】
また、本発明による第４の画像表示装置は、
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示装置において、
前記タグ情報の項目名を複数並べてなる検索リストを作成する検索リスト作成手段と、
前記検索リストを表示手段に表示させ、前記検索リストの中のある項目が選択されたとき、その項目のタグ情報の値を表示手段に表示させ、前記複数のタグ情報の中の所定のタグ情報と、それに関連する関連情報とを互いに対応付けて記憶手段に記憶させ、前記関連情報およびタグ情報を前記画像と共に表示手段に表示させる表示制御手段と、
表示された関連情報が選択されたとき、その関連情報と対応付けられている前記所定のタグ情報を、前記検索リストの中で、表示手段に表示されているタグ情報よりも上位に設定する検索リスト制御手段と、
を備えたことを特徴とするものである。
【発明の効果】
【００２５】
本発明の画像表示方法において、装置操作者が選択した関連情報と対応付けられているタグ情報は、操作者が確認しようとしているタグ情報である可能性が高いものである。
【００２６】
そこで本発明の第１の画像表示方法においては、表示された複数の関連情報の中の１つが選択されたとき、その関連情報と対応付けられている所定のタグ情報を、検索リストの中で最上位に設定するようにしたので、操作者が確認しようとしているタグ情報が高確率でかつ簡単に、検索リスト中で見つけられるようになる。
【００２７】
また本発明の第２の画像表示方法においては、表示された関連情報が選択されたとき、その関連情報と対応付けられているタグ情報のみを検索リストの中に表示させるようにしたので、この方法においても、操作者が確認しようとしているタグ情報が高確率でかつ簡単に、検索リスト中で見つけられるようになる。
【００２８】
また本発明の第３の画像表示方法においては、表示された関連情報が選択されたとき、その関連情報と対応付けられているタグ情報を、検索リストの中で、該選択の前までの順位より少なくとも1つ順位を上げるようにしたので、この方法においても、操作者が確認しようとしているタグ情報が高確率でかつ簡単に、検索リスト中で見つけられるようになる。
【００２９】
また本発明の第４の画像表示方法においては、表示された関連情報が選択されたとき、その関連情報と対応付けられているタグ情報を、検索リストの中で、表示手段に表示されているタグ情報よりも上位に設定するようにしたので、この方法においても、操作者が確認しようとしているタグ情報が高確率でかつ簡単に、検索リスト中で見つけられるようになる。
【００３０】
他方、本発明による第１の画像表示装置は前述した通り、
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示装置において、
前記タグ情報の項目名を複数並べてなる検索リストを作成する検索リスト作成手段と、
前記検索リストを表示手段に表示させ、前記検索リストの中のある項目が選択されたとき、その項目のタグ情報の値を表示手段に表示させ、前記複数のタグ情報の中の所定のタグ情報と、それに関連する関連情報とを互いに対応付けて記憶手段に記憶させ、前記関連情報の複数を前記画像と共に表示手段に表示させる表示制御手段と、
表示された複数の関連情報の中の１つが選択されたとき、その関連情報と対応付けられている前記所定のタグ情報を、前記検索リストの中で最上位に設定する検索リスト制御手段と、
を備えたものであるから、上述した本発明による第１の画像表示方法を実施できるものとなる。
【００３１】
また、本発明による第２の画像表示装置は前述した通り、
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示装置において、
前記タグ情報の項目名を複数並べてなる検索リストを作成する検索リスト作成手段と、
前記検索リストを表示手段に表示させ、前記検索リストの中のある項目が選択されたとき、その項目のタグ情報の値を表示手段に表示させ、前記複数のタグ情報の中の所定のタグ情報と、それに関連する関連情報とを互いに対応付けて記憶手段に記憶させ、前記関連情報を前記画像と共に表示手段に表示させる表示制御手段と、
表示された関連情報が選択されたとき、その関連情報と対応付けられている前記所定のタグ情報のみを、前記検索リストの中に表示させる検索リスト制御手段と、
を備えたものであるから、上述した本発明による第２の画像表示方法を実施できるものとなる。
【００３２】
また、本発明による第３の画像表示装置は前述した通り、
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示装置において、
前記タグ情報の項目名を複数並べてなる検索リストを作成する検索リスト作成手段と、
前記検索リストを表示手段に表示させ、前記検索リストの中のある項目が選択されたとき、その項目のタグ情報の値を表示手段に表示させ、前記複数のタグ情報の中の所定のタグ情報と、それに関連する関連情報とを互いに対応付けて記憶手段に記憶させ、前記関連情報を前記画像と共に表示手段に表示させる表示制御手段と、
表示された関連情報が選択されたとき、その関連情報と対応付けられている前記所定のタグ情報を、前記検索リストの中で、該選択の前までの順位より少なくとも1つ順位を上げる検索リスト制御手段と、
を備えたものであるから、上述した本発明による第３の画像表示方法を実施できるものとなる。
【００３３】
また、本発明による第４の画像表示装置は前述した通り、
画像と、その画像に関連する複数のタグ情報とを互いに対応付けて記憶手段に記憶させ、
この記憶手段から読み出した画像を表示手段に表示させるとき、その画像と対応付けて記憶されているタグ情報を表示手段に表示可能とした画像表示装置において、
前記タグ情報の項目名を複数並べてなる検索リストを作成する検索リスト作成手段と、
前記検索リストを表示手段に表示させ、前記検索リストの中のある項目が選択されたとき、その項目のタグ情報の値を表示手段に表示させ、前記複数のタグ情報の中の所定のタグ情報と、それに関連する関連情報とを互いに対応付けて記憶手段に記憶させ、前記関連情報およびタグ情報を前記画像と共に表示手段に表示させる表示制御手段と、
表示された関連情報が選択されたとき、その関連情報と対応付けられている前記所定のタグ情報を、前記検索リストの中で、表示手段に表示されているタグ情報よりも上位に設定する検索リスト制御手段と、
を備えたものであるから、上述した本発明による第４の画像表示方法を実施できるものとなる。
【図面の簡単な説明】
【００３４】
【図１】本発明の一実施形態による画像表示方法を実施する医療情報システムの概略構成図
【図２】上記画像表示装置の構成を示す斜視図
【図３】図２の画像表示装置における画像表示画面の例を示す図
【図４】図２の画像表示装置におけるタグ情報表示画面の例を示す図
【図５】図４のタグ情報表示画面の別の状態を示す図
【発明を実施するための形態】
【００３５】
以下、図面を参照して本発明の実施形態を詳細に説明する。図１は、本発明による画像表示装置を適用した医療情報システムの概略構成を示すものである。この医療情報システムは、医用画像の撮影装置（モダリティ）１、本発明の一実施形態である画像表示装置としての読影ワークステーション２、画像サーバ３、および画像データベース４が、ネットワーク１０を介して互いに通信可能な状態に接続されて構成されている。本システムにおける各機器は、ＣＤ−ＲＯＭ等の記録媒体からインストールされたプログラムによって制御される。また、プログラムは、インターネット等のネットワーク経由で接続されたサーバからダウンロードされた後にインストールされたものであってもよい。
【００３６】
モダリティ１には、被検体の検査対象部位を撮影することにより、その部位を表す画像の画像データを生成し、その画像データに検査情報および患者情報等の情報（タグ情報）を付加して出力する装置が含まれる。上記タグ情報は、例えばＤＩＣＯＭ（Digital Imaging and Communication in Medicine）規格等の標準化された規格および、そのモダリティ等のメーカーの規格に準拠したフォーマットのものである。モダリティ１の具体例としては、ＣＴ装置、ＭＲＩ装置、ＰＥＴ装置および超音波撮影装置等が挙げられる。
【００３７】
本例において扱われる画像データは、一例としてＣＴ装置において取得された、被検体の断層画像を示す画像データであり、より詳しくは、所定のスライス間隔およびスライス厚による軸位断画像や矢状断画像等を示す画像データの集合体である。ただし、本発明の情報処理装置が扱うデータは、このような画像データに限られるものではない。
【００３８】
読影ワークステーション２は、そのユーザである画像読影医等が、画像の読影および読影レポートの作成に利用する装置である。読影ワークステーション２は図２にその概略構成を示すように、ＣＰＵ、ハードディスク等の記憶装置、メモリおよび各種インターフェース等を備えた処理装置２１、１台または２台の高精細ディスプレイ２２（１台のみ図示）、並びにキーボード２３およびマウス２４等の入力手段２５からなるコンピュータシステムにより構成されている。
【００３９】
読影ワークステーション２は、処理装置２１にインストールされたプログラムに基づいて、画像サーバ３に対する画像の閲覧要求、画像サーバ３から受信した画像に対する各種画像処理、画像中の構造物および病変らしい部分の自動検出および強調表示を含む各種解析処理、画像の表示、読影レポートの作成の支援、読影レポートサーバ（図示なし）に対する読影レポートの登録要求および閲覧要求、並びに読影レポートサーバから受信した読影レポートの表示等を行えるように構成されている。
【００４０】
一方画像サーバ３は、汎用の比較的処理能力の高いコンピュータにデータベース管理システム（DataBase Management System: DBMS）の機能を提供するソフトウェアプログラムがインストールされたものである。また、画像サーバ３は画像データベース４を構築する大容量ストレージを備えている。このストレージは、画像サーバ３とデータバスによって接続された大容量のハードディスク装置であってもよいし、ネットワーク１０に接続されているＮＡＳ（Network Attached Storage）やＳＡＮ（Storage Area Network）に接続されたディスク装置であってもよい。画像サーバ３も、モダリティ１および読影ワークステーション２等とネットワーク１０を介して通信を行う通信インターフェースを有している。この画像サーバ３は、モダリティ１からの画像の登録要求を受け付けると、その画像をデータベース用のフォーマットに整えて画像データベース４に登録する。
【００４１】
画像データベース４には、上述した３次元画像の画像データと、その画像に関連するタグ情報とが登録される。タグ情報には、例えば、個々の画像を識別するための画像ＩＤ、被写体を識別するための患者ＩＤ、検査を識別するための検査ＩＤ、画像毎に割り振られるユニークなＩＤ（ＵＩＤ）、その画像が生成された検査日、検査時刻、その画像を取得するための検査で使用されたモダリティの種類、患者氏名、年齢、性別等の患者情報、検査部位（撮影部位）、撮影情報（撮影プロトコル、撮影シーケンス、撮像手法、撮影条件、造影剤の使用等）、１回の検査で複数の画像を取得したときのシリーズ番号あるいは採取番号等の情報が含まれうる。このようなタグ情報を検索して表示させるための操作については、後に詳しく説明する。
【００４２】
画像サーバ３は、読影ワークステーション２からの閲覧要求をネットワーク１０経由で受信すると、上記画像データベース４に登録されている画像を検索し、抽出された画像を要求元の読影ワークステーション２に送信する。
【００４３】
読影ワークステーション２は、画像読影医等のユーザによって読影対象画像の閲覧を要求する操作が行われると、画像サーバ３に対して閲覧要求を送信し、読影に必要な画像を取得する。そして読影ワークステーション２は、その画像に対する各種画像処理を実行したり、画像の表示を行う。
【００４４】
次に、読影ワークステーション２のディスプレイ２２における画像表示について、図３を参照して説明する。なお、以下で説明する１つの「検査」は、１人の「患者」に属する。また１つの「検査」は、複数の「シリーズ」からなり、そして１つの「シリーズ」は、複数の「画像」からなるものである。
【００４５】
ユーザ（操作者）が、ディスプレイ２２に表示された不図示の検査リストから「検査」を選択すると、図３に示すような画像表示画面がディスプレイ２２に表示される。この画像表示画面は一例として、左上に配置された検査リスト表示領域２２ａ、その右側に配置されたサムネイル表示領域２２ｂ、およびそれらの下側に配置された画像表示領域２２ｃから構成されている。
【００４６】
上記検査リスト表示領域２２ａには、患者に関する検査のリストが表示される。そしてこのリスト上で検査を選択すると、サムネイル表示領域が更新されるようになっている。サムネイル表示領域２２ｂには、「検査リストで選択されている検査」に属するシリーズの１つのサムネイル画像が表示される。
【００４７】
そしてそれらのサムネイル画像から１つを選択して、それを画像表示領域２２ｃのシリーズ表示枠にドラッグ＆ドロップすると、そのサムネイル画像が含まれているドラッグ元のシリーズが、ドロップ先のシリーズ表示枠内に表示される。
【００４８】
画像表示領域２２ｃは、複数個のシリーズ表示枠からなる。各シリーズ表示枠には、１個のシリーズが表示されるようになっている。なお図３の例では、２×２のレイアウトで、４個のシリーズが表示される。読影の際に操作者は、画像表示領域２２ｃに表示されている各シリーズに対する操作、つまり階調や拡大率を変える操作等を行いながら、読影を行う。各シリーズに対する操作は、主にマウス２４のクリックやドラッグ操作によって行われる。
【００４９】
次に、表示されている画像に対応するタグ情報を調べて表示させる操作について説明する。なお、以下で説明する読影ワークステーション２が行う各種処理は、処理装置２１のＣＰＵが所定のプログラムに基づいて行うものであり、特に記憶処理は、処理装置２１が備えている記憶手段であるメモリを利用して行われる。またこの処理装置２１は、本発明における検索リスト作成手段、表示制御手段および検索リスト制御手段を構成するものである。
【００５０】
本実施形態においては、前述したＤＩＣＯＭ規格に基づく複数のタグ情報（以下、これをＤＩＣＯＭタグ情報という）が、図３にＷとして示すように画像表示領域２２ｃのシリーズ表示枠に各々表示される。それらのタグ情報は各画像に固有のものであって、各画像と対応付けてメモリに記憶されており、画像表示領域２２ｃに画像が表示されるとき、その画像と対応付けて記憶されているタグ情報が読み出されて、画像と同じ枠内に表示される。
【００５１】
上記タグ情報の表示は一例として、表示画像に対するオーバーレイ表示としてなされるが、それに限らず、例えばタグ情報表示のためのウインドウを設けてそこに表示するようにしてもよい。また画像表示領域２２ｃのシリーズ表示枠には、ＤＩＣＯＭタグ情報以外の、画像と関連する情報も表示される。なお図３では、これら２種の情報を共にオーバーレイ表示Ｗとして示している。
【００５２】
以上のように画像表示領域２２ｃのシリーズ表示枠に各々表示されるＤＩＣＯＭタグ情報のリストを下の表１に、また、同様に表示されるそれ以外の情報を表２に示す。ここで、表１に示すカッコ内の４桁の数字２つは、タグ情報を識別する番号である。
【表１】
2014067351.tif 000003
【表２】
2014067351.tif 000004
【００５３】
また、オーバーレイ表示される各情報に対しては、それと関連性の有るいくつかのタグ情報が対応付けられており、その対応状態もメモリに記憶されている。この対応状態の例を、下の表３に示す。以下、このようにいくつかのタグ情報と対応付けられて記憶されている情報、つまり表３で左側の列に記載されている情報を「関連情報」と称する。この関連情報は、ＤＩＣＯＭタグ情報であってもよいし、あるいはそれ以外の情報であってもよい。また表３の例では全て、１つの関連情報と複数のＤＩＣＯＭタグ情報とが対応付けられているが、１つの関連情報と１つのＤＩＣＯＭタグ情報とが対応付けられてもよい。
【表３】
2014067351.tif 000005
【００５４】
またディスプレイ２２には、図４および５に示すようなタグ情報表示画面が示されるようになっている。このタグ情報表示画面は、図３に示した画像表示画面から、あるオーバーレイ表示Ｗがマウス２４でクリックして選択されたなら自動的に遷移するようにしてもよいし、あるいは、図３に示した画像表示画面内に遷移のためのボタン等を表示させて、それがクリックされたなら遷移するようにしてもよいし、さらには、キーボード２３の特定のショートカットキーが押されたなら遷移するようにしてもよい。反対に、タグ情報表示画面から図３に示した画像表示画面内に遷移するには、例えば上記のボタン操作やショートカットキー操作を適用すればよい。
【００５５】
また、タグ情報表示画面と画像表示画面とを１台の表示手段において並べて表示したり、さらにはタグ情報表示画面と画像表示画面とをそれぞれ専用の表示手段に表示することも可能である。
【００５６】
図４および５に示すタグ情報表示画面では、各タグ情報の項目とその値とが並べて表示される。この例では、左端から１番目と２番目の列の数字が前述の識別番号であってタグ情報の項目を示し、３番目の列に値が示されている。例えば図５に示す白黒反転表示の行では、識別番号「００２８」および「００１１」がタグ情報項目（この例ではＸ方向pixel数）を示し、「５１２」がその値である。
【００５７】
図４および５に示すタグ情報表示画面では、非常に多くのタグ情報が示されるので、操作者が知りたいタグ情報をそこから見つけ出すのは、かなり困難な作業になる。そこで、知りたいタグ情報を容易に見つけ出せるように、本実施形態では以下のような検索リストが表示されるようになっている。
【００５８】
この検索リストは、図４および５に示すタグ情報表示画面に設けられたプルダウンリスト表示ボタンＢをマウス２４でクリックすることにより、図４中にＬで示すようにタグ情報項目名を上下に並べてなる検索リストがプルダウン表示される。この検索リストＬにおいては、後述するように、操作者が探している可能性が高いと考えられる項目がより上位、つまり本例ではより上方に示されるようになっている。そして、それらの中から操作者が探している項目（この例ではＸ方向pixel数）を例えばマウス２４によりクリックして選択すると、その項目がタグ情報表示画面において図５に示すように反転表示され、操作者がそのタグ情報の値を簡単に確認可能となっている。
【００５９】
なお上記反転表示に代えて、色を変える表示や、枠で囲む表示などで、選択されたタグ情報を分かりやすく示すようにしてもよい。また、上述のように全てのタグ情報をタグ情報表示画面に表示しておくことはしないで、検索リストにおいてあるタグ情報の項目が選択されたならそのタグ情報の値のみを表示するようにしてもよい。
【００６０】
さらに、検索リストにはタグ情報項目に加えてその値も表示しておき、そこで項目を選択したなら直接的に値が確認できるようにしてもよい。そのようにすることも、本発明でいうところの「検索リストの中のある項目が選択されたとき、その項目のタグ情報の値を表示手段に表示させ」に含まれるものとする。
【００６１】
次に、上記検索リストにおけるタグ情報項目の順位付けについて説明する。前述した関連情報のうちのいくつかは、図３に示す画像表示領域２２ｃのシリーズ表示枠において、ＤＩＣＯＭタグ情報のいくつかと共にオーバーレイ表示される。それらの関連情報およびＤＩＣＯＭタグ情報は、当該シリーズ表示枠内に表示されている画像と対応するものである。操作者は、このように表示されている関連情報のうち、確認したいＤＩＣＯＭタグ情報と関連性が有ると考えられる関連情報を、例えばマウス２４によりクリックして選択する。図３では一例として、画像表示領域２２ｃの右下のシリーズ表示枠において、関連情報の一つである拡大率（Ｚ）が選択された状態を示している。
【００６２】
このようにして関連情報が選択されると、その関連情報と対応付けて記憶されている複数のＤＩＣＯＭタグ情報が、図４に示す検索リストＬにおいて、最上位に設定される。すなわち図４の例では、そこに丸囲み数字１で示す通り、拡大率（Ｚ）と対応する９個のＤＩＣＯＭタグ情報（表３参照）が、まとめて最上位に設定される。このようになっていれば操作者は、検索リストＬにおけるタグ情報項目を上側から探して行くことにより、確認しようとしているＤＩＣＯＭタグ情報を短時間で見出すことができる。こうして所望のタグ情報の項目を見つけた後は、それをマウス２４でクリックする等により、そのタグ情報の値が分かりやすく表示されるのは先に述べた通りである。
【００６３】
なお本実施形態では、図４に示す検索リストＬにおいて、そこに丸囲み数字２、３および４で示す通り、上記９個のＤＩＣＯＭタグ情報の下に順次、前回検索されたタグ情報、所定数を上回る多数回検索されたタグ情報およびオーバーレイ表示されているタグ情報（一例として６個）の項目が並べて表示されるようになっている。これら３種のタグ情報も、操作者が値を確認しようとしている確率が高いものであるから、このように検索リストＬを構成することにより、操作者が望んでいるタグ情報がより早く見つけられるようになる。なお、上記前回検索されたタグ情報および、所定数を上回る多数回検索されたタグ情報は、記憶手段に記憶しておいて、それを表示するようにすればよい。
【００６４】
なお本実施形態では検索リストＬにおいて、関連情報と対応付けられている複数のタグ情報を最上位に設定するようにしているが、その代わりに、関連情報と対応付けられているタグ情報のみを検索リストＬに示し、その他のタグ情報は一切検索リストＬに示さないようにしてもよい。
【００６５】
また、関連情報と対応付けられているタグ情報を、検索リストＬの中で、関連情報の選択（上記実施形態では画像表示領域２２ｃにおける拡大率（Ｚ）のクリック）がなされる前の順位より少なくとも1つ順位を上げるようにしてもよい。
【００６６】
さらに、上記実施形態では検索リストＬの中で、関連情報と対応付けられている複数のタグ情報を、オーバーレイ表示されているタグ情報よりも上に表示しているが、この関係は基本的に保った上で、関連情報と対応付けられている複数のタグ情報を特に最上位に設定することはしないようにしても構わない。
【００６７】
以上、本発明の実施形態について説明したが、本発明は上記実施形態に限定されるものではなく、本発明の技術思想から逸脱しない範囲で、適宜変更、修正をすることが可能である。たとえば、上記実施形態は、医用画像を表示する画像表示装置に本発明が適用されたものであるが、本発明は医用画像以外の画像を表示する画像表示装置に対しても同様に適用可能である。
【００６８】
また、以上説明した本発明による画像表示方法の手順をコンピュータに実行させるプログラムも、本発明の実施形態の一つである。さらには、そのようなプログラムを記録したコンピュータ読取り可能な記録媒体も、本発明の実施形態の一つである。
【符号の説明】
【００６９】
１    モダリティ
２    読影ワークステーション
３    画像サーバ
４    画像データベース
２１  処理装置
２２  ディスプレイ
２３  キーボード
２４  マウス
２５  入力手段
Ｗ    オーバーレイ表示
Ｌ    検索リスト
【図１】
2014067351.tif 000006
【図２】
2014067351.tif 000007
【図３】
2014067351.tif 000008
【図４】
2014067351.tif 000009
【図５】
2014067351.tif 000010